(57)【特許請求の範囲】
【請求項１】
テープ状記録媒体を巻装したテープリールを内部に収納したカセットシェルの前部に前方及び上下に開放されたマウス部を有し、上記テープ状記録媒体の一部が上記マウス部の前端を横切るように位置されると共に、テープ状記録媒体の前側を覆うフロントリッドを有し、該フロントリッドはカセットシェルに前後方向に移動自在に支持されたスライダーに回動自在に支持されており、該スライダーの後方への移動時にフロントリッドが上記テープ状記録媒体の前側を開放するテープカセットであって、
上記カセットシェルの背面に凹状のラベルエリアを形成して該ラベルエリアに矩形のラベルを貼着することができるようにし、
上記カセットシェルの上面であって、上記スライダーの摺動範囲内の平滑面の後側部分に左右方向に長い凹部を設けることによって、上記ラベルを上記カセットシェル上面の上記スライダーの摺動範囲内に貼着しようとしたときに、ラベル貼着部分に上記凹部による段差ができるようにした
ことを特徴とするテープカセット。
【発明の詳細な説明】
【０００１】
【発明の属する技術分野】
本発明はテープカセットに関する。詳しくは、スライダーを有するテープカセットにおいて、スライダーのスムーズな摺動を確保する技術に関する。
【０００２】
【従来の技術】
テープ状記録媒体を巻装したテープリールをカセットシェルの内部に収納したテープカセットにおいて、種々の目的で、例えば、カセットシェルに設けられたテープエンド検出のための透光孔等の孔を不使用時に閉塞しておくためや別の部材を保持しておく等のためにカセットシェルに対して前後方向に移動自在なスライダーを設けたものがある。
【０００３】
図８乃至図１０に示すものは、従来のテープカセットの一例ａであり、該テープカセットａは、薄い箱状をしたカセットシェルｂ内にテープ状記録媒体である磁気テープｃを巻装した１対のテープリールｄ、ｄが左右に離間して回転可能に収納されている（図８参照）。
【０００４】
カセットシェルｂの前端部には、該カセットシェルｂの前面に沿って位置する磁気テープｃの前面側を覆うフロントリッドｅが回動自在に支持されている（図９参照）。
【０００５】
また、カセットシェルｂにはその上面及び左右両側面を覆い、前後方向に移動自在にスライダーｆが支持されている。
【０００６】
カセットシェルｂは薄い箱状を為し、上シェルｇと下シェルｈとが上下で結合されて成り、カセットシェルｂの前部にはマウス部と称される大きな凹部ｉが形成されている。該マウス部ｉは前方並びに上方及び下方に開口されている。そして、磁気テープｃの一部が上記マウス部ｉの前面に沿って位置している。
【０００７】
また、上シェルｇの上面にはカセットシェルｂ内のテープリールｄ、ｄが視認できるように透明板により構成された窓ｊが設けられ、上記スライダーｈが前進している状態において上記窓ｊが露出して、テープリールｄ、ｄが視認できるようになっている。
【０００８】
また、カセットシェルｂの背面には扁平凹状のラベルエリアｋが形成されており、該ラベルエリアｋにはユーザーが当該テープカセットａに関する情報、たとえば記録内容を記述したラベルｌを貼着できるようになっている。
【０００９】
【発明が解決しようとする課題】
ところで、上記テープカセットａには、そのカセットシェルｂの表面（上面）には上記窓ｊを含む平滑面ｍが存在し、該平滑面ｍにラベルｌが貼着されてしまうと上記スライダーｈの摺動を阻害するという問題がある。かかる平滑面ｍが上記スライダーｈの摺動範囲内であるためである。
【００１０】
また、ラベルｌの貼着を許容するということは、貼着したラベルｌを剥がすこともあり、ラベルｌを剥がしたカセットシェルｂの部分に粘着材が残ってしまうことがある。そして、上記スライダーｈの摺動範囲中に上記粘着材が残されてしまうと、スライダーｈに粘着材が付着し、スライダーｈの摺動を不能にするという問題も想定される。
【００１１】
そこで、本発明テープカセットは、カセットシェルの上面であってスライダーの摺動範囲内にラベルが貼着されることがないようにすることを課題とする。
【００１２】
【課題を解決するための手段】
本発明テープカセットは、上記した課題を解決するために、テープ状記録媒体を巻装したテープリールを内部に収納したカセットシェルの前部に前方及び上下に開放されたマウス部を有し、上記テープ状記録媒体の一部が上記マウス部の前端を横切るように位置されると共に、テープ状記録媒体の前側を覆うフロントリッドを有し、該フロントリッドはカセットシェルに前後方向に移動自在に支持されたスライダーに回動自在に支持されており、該スライダーの後方への移動時にフロントリッドが上記テープ状記録媒体の前側を開放するテープカセットであって、上記カセットシェルの背面に凹状のラベルエリアを形成して該ラベルエリアに矩形のラベルを貼着することができるようにし、上記カセットシェルの上面であって、上記スライダーの摺動範囲内の平滑面の後側部分に左右方向に長い凹部を設けることによって、上記ラベルを上記カセットシェル上面の上記スライダーの摺動範囲内に貼着しようとしたときに、ラベル貼着部分に上記凹部による段差ができるようにしたものである。
【００１３】
したがって、本発明テープカセットにあっては、スライダーの摺動する範囲内にラベルを貼着しようとしたユーザーに当該部分がラベルエリアでないことを容易に認識させることができ、よって、当該部分にラベルが貼着されることはなく、スライダーのスムーズな摺動を確保することができる。
【００１４】
【発明の実施の形態】
以下に、本発明テープカセットの各実施の形態について添付図面を参照して説明する。
【００１５】
図１乃至図４は、本発明テープカセットの第１の実施の形態を示すものである。なお、各図において矢印で示す、Ｕ方向、Ｄ方向、Ｌ方向、Ｒ方向、Ｆ方向、Ｂ方向は、それぞれ、上方、下方、左方、右方、前方、後方を意味するものとする。
【００１６】
テープカセット１０は、薄い箱状をしたカセットシェル２０内にテープ状記録媒体である磁気テープ３０を巻装したテープリール４０、４０が回転可能に収納され、カセットシェル２０の前面に沿って位置する磁気テープ３０の前面側を覆うフロントリッド５０及び該磁気テープ３０の後側を覆うバックリッド６０を備え、そして、上記バックリッド６０はカセットシェル２０に前後方向に移動自在に支持されたスライダー７０に一体に形成され、また、上記フロントリッド５０は上記スライダー７０に回動自在に支持されている（図１参照）。
【００１７】
カセットシェル２０は薄い箱状を為し、上シェル８０と下シェル９０とが上下で結合されて成り、カセットシェル２０の前部にはマウス部と称される大きな凹部２１が形成されている。該マウス部２１は前方並びに上方及び下方に開口されている。そして、磁気テープ３０の一部が上記マウス部２１の前面に沿って位置している。
【００１８】
また、カセットシェル２０の背面には扁平凹状のラベルエリア２２が形成されており、該ラベルエリア２２にはユーザーが当該テープカセット１０に関する情報、たとえば記録内容を記述したラベル１００を貼着できるようになっている。
【００１９】
上シェル８０の上面には、前後方向の中央よりやや前方に寄った位置に左右方向に長い窓８１が形成されており、これにより、カセットシェル２０内のテープリール４０、４０に巻装された磁気テープ３０の巻装状態が確認できるようになっている（図１参照）。なお、かかる窓８１は透明なプラスチックにより形成されているが、別体に形成した透明な窓８１を上シェル８０の対応箇所に嵌め込むようにしても良いし、また、いわゆる２色成形により上シェル８０の他の部分と窓８１とを一体に形成しても良い。
【００２０】
そして、上シェル８０に形成された窓８１は上シェル８０の上面の他の部分と面一に形成されて平滑面８２となっており、該平滑面８２の後側の部分に扁平凹部８３が形成されている。そして、窓８１を含む平滑面８２及び扁平凹部８３は上記スライダー６０の摺動範囲内に位置されている。
【００２１】
しかして、上シェル８０の上面には上記平滑面８２の他、扁平凹部８３が形成されているため、当該部分、すなわち、上シェル８０の上面であってスライダー６０の移動範囲内にラベル１００を貼着しづらくなっており、よって、ユーザーが当該部分に誤ってラベル１００を貼着してしまうことが回避される。
【００２２】
すなわち、ユーザーは上記上シェル８０の上面にラベル１００を貼着しようとしたとき、貼着しようとする部分に扁平凹部８３が形成されていることに気づき、該部分にラベル１００を貼着すると段差ができてしまうことを容易に想像することができ、よって、該部分がラベルエリア２２でないこと認識し、ラベル１００を貼着してしまうことはない。
【００２３】
これにより、スライダー６０の摺動を阻害するラベル１００の貼着が行われることがなく、スライダー６０のスムーズな摺動が確保される。
【００２４】
勿論、当該部分にラベル１００が貼着されることがないので、ラベル１００の粘着材が当該部分に付着することもなく、この点からもスライダー６０のスムーズな摺動が期待できる。
【００２５】
図５及び図６は、本発明テープカセットの第２の実施の形態を示すものであり、この第２の実施の形態が前記第１の実施の形態と比較して相違する点は、テープカセットの上面であって上記スライダーの摺動範囲内に形成した扁平凹部内に突条を設けた点である。したがって、第２実施の形態にかかるテープカセットの説明は、第１の実施の形態と相違する部分を主に行い、他の部分については図面の各部に前記第１の実施の形態に係るテープカセットにおける同様の部分に付した符号と同じ符号を付すことによりその説明を省略する。
【００２６】
テープカセット１０Ａの上シェル８０Ａの扁平凹部８３内にはその左右方向に延びる突条８４が形成されており、該突条８４の高さは、扁平凹部８３の深さとほぼ同じか又はやや低く形成されている。
【００２７】
しかして、かかるテープカセット１０Ａにあっては、上シェル８０Ａの扁平凹部８３に突条８４を形成したので、さらに容易に当該部分がラベルエリア２２でないことをユーザーに認識させることができ、スライダー６０の摺動を阻害するラベル１００の貼着が行われることがなく、スライダー６０のスムーズな摺動が確保される。
【００３１】
図７は、上シェルに形成された第１の実施の形態における扁平凹部８３の変形例を示すものであり、平面から見て異形の模様に見えるように凹部８７を形成したものである。
【００３３】
このような変形例にかかる凹部８７を形成することによっても、ユーザーに当該部分がラベルエリア２２でないことを容易に認識させることができ、スライダー６０のスムーズな摺動を確保することができるとともに、さらに意匠的効果も奏することができる。
【００３５】
この他、上記した各実施の形態又は変形例において示した各部の形状乃至構造は、何れも本発明を実施するに際して行う具体化のほんの一例を示したものに過ぎず、これらによって本発明の技術的範囲が限定的に解釈されるようなことがあってはならないものである。
【００３６】
【発明の効果】
以上に記載したところから明らかなように、本発明テープカセットは、テープ状記録媒体を巻装したテープリールを内部に収納したカセットシェルの前部に前方及び上下に開放されたマウス部を有し、上記テープ状記録媒体の一部が上記マウス部の前端を横切るように位置されると共に、テープ状記録媒体の前側を覆うフロントリッドを有し、該フロントリッドはカセットシェルに前後方向に移動自在に支持されたスライダーに回動自在に支持されており、該スライダーの後方への移動時にフロントリッドが上記テープ状記録媒体の前側を開放するテープカセットであって、上記カセットシェルの背面に凹状のラベルエリアを形成して該ラベルエリアに矩形のラベルを貼着することができるようにし、上記カセットシェルの上面であって、上記スライダーの摺動範囲内の平滑面の後側部分に左右方向に長い凹部を設けることによって、上記ラベルを上記カセットシェル上面の上記スライダーの摺動範囲内に貼着しようとしたときに、ラベル貼着部分に上記凹部による段差ができるようにしたことを特徴とする。
【００３７】
したがって、本発明テープカセットにあっては、スライダーの摺動する範囲内にラベルを貼着しようとしたユーザーに当該部分がラベルエリアでないことを容易に認識させることができ、よって、当該部分にラベルが貼着されることはなく、スライダーのスムーズな摺動を確保することができる。
【図面の簡単な説明】
【図１】図２乃至図４とともに本発明テープカセットの第１の実施の形態を示すものであり、本図はスライダーを前進させ、リッドが閉蓋位置にある状態を示す前方から見た斜視図である。
【図２】スライダーを後退させ、リッドが開蓋位置にある状態を示す前方から見た斜視図である。
【図３】スライダーを前進させ、リッドが閉蓋位置にある状態を示す後方から見た斜視図である。
【図４】拡大して示す縦断面図である。
【図５】図６とともに本発明テープカセットの第２の実施の形態を示すものであり、本図はスライダーを前進させ、リッドが閉蓋位置にある状態を示す前方から見た斜視図である。
【図６】拡大して示す縦断面図である。
【図７】凹部の変形例を示す平面図である。
【図８】図９及び図１０とともに従来のカセットテープの一例を示すもので、本図はスライダーを前進させ、フロントリッドが閉蓋位置にある状態を示す後方から見た斜視図である。
【図９】スライダーを後退させ、フロントリッドが開蓋位置にある状態を示す後方から見た斜視図である。
【図１０】従来例の問題点を示すもので、カセットシェルの平滑面にラベルが貼着された状態を後方から見た斜視図である。
【図１１】図１２及び図１３とともに従来のカセットテープの一例を示すもので、本図はスライダーを前進させ、フロントリッドが閉蓋位置にある状態を示す後方から見た斜視図である。
【図１２】スライダーを後退させ、フロントリッドが開蓋位置にある状態を示す後方から見た斜視図である。
【図１３】従来例の問題点を示すもので、カセットシェルの平滑面にラベルが貼着された状態を後方から見た斜視図である。
【符号の説明】
１０…テープカセット、２０…カセットシェル、２１…マウス部、２２…ラベルエリア、３０…磁気テープ、４０…テープリール、５０…フロントリッド、７０…スライダー、８３…扁平凹部（凹部）、１０Ａ…テープカセット、８７…凹部、１００…ラベル
【図１】
0003551172.tif 000002
【図２】
0003551172.tif 000003
【図３】
0003551172.tif 000004
【図４】
0003551172.tif 000005
【図５】
0003551172.tif 000006
【図６】
0003551172.tif 000007
【図７】
0003551172.tif 000008
【図８】
0003551172.tif 000009
【図９】
0003551172.tif 000010
【図１０】
0003551172.tif 000011
【図１１】
0003551172.tif 000012
【図１２】
0003551172.tif 000013
【図１３】
0003551172.tif 000014